(57)【要約】【課題】衣類を洗う特に叩き洗いが出来るドラム式構造の洗濯槽を有する洗濯機は、多くは左開きの洗濯槽扉の洗濯機であり、その洗濯機に搭載される洗濯機用洗濯槽扉係止装置も左開きの洗濯槽扉を意識した設計になっていたが、最近は右開きの洗濯槽扉の洗濯機にも対応できるように要望されている。【解決手段】ハートカム方式のセルフロック機構のアンロック時に、箱体本体６０の左右から突出された操作軸５０の一端部５１又は他端部５３の何れかを引張ると、該操作軸５０のＶ字形の係止板誘導壁５２と係止板４０の操作軸用突起４２とが摺動して係止板４０が洗濯機の洗濯槽扉に設けられたラッチ１９から離脱する方向に移動し、引張っていた該操作軸５０の一端部５１又は他端部５３を離すと、該操作軸５０のＶ字形の係止板誘導壁５２と操作軸用突起４２とが摺動して該係止板４０が該ラッチ１９を係止する方向に移動するようにする。【選択図】図１
2008307244.tif 000002
【特許請求の範囲】
【請求項１】
洗濯機に設けられたラッチを有する洗濯槽扉を閉じたときに該ラッチが入り込むラッチ受を有する箱体本体と、ソレノイドアクチュエータと、該ソレノイドアクチュエータで駆動される可動操作板と、該可動操作板に連動するリンクと、該リンクでロック又はアンロックされ該ラッチ受に入り込んだ該ラッチを係止する係止板と、該係止板が該ラッチを係止する方向に常時弾発付勢するように設けられた圧縮コイルスプリングＡと、洗濯機に設けられた洗濯槽扉を開くための扉開ボタンを操作することにより該係止板が該ラッチから離脱する方向に移動するように設けられた操作軸と、該ラッチが入り込むラッチ口を有する箱体蓋体と、からなり、ハートカム溝と係止ピンとの係合及び離脱によるロック及びアンロックの操作を交互に行なえるハートカム方式のセルフロック機構を搭載した洗濯機用洗濯槽扉係止装置であって、
ソレノイドアクチュエータは、ボビンに銅線を巻装したソレノイドと、該ソレノイドの外周部を囲繞するヨークと、該ヨークに固着された固定鉄心と、該ソレノイドに内設され係合孔を有する可動鉄心と、からなり、該可動鉄心は、ソレノイド励磁で吸引作動、ソレノイド消磁で復帰作動をすることにより往復動をし、
可動操作板は、該可動鉄心に連結して該可動鉄心の往復動の方向と同方向に往復動し、一端部にはリンク用突起を設け、略中央部には該可動鉄心の係合孔に係合する突起とスプリングＢ一端受けとを設け、他端部にはハートカム溝を設け、該箱体本体に設けられたスプリングＢ他端受け壁と該可動操作板のスプリングＢ一端受けとの間に両者を常時弾発付勢するように圧縮コイルスプリングＢを装着して該ソレノイド消磁時の該可動鉄心の復帰作動を容易にしたものであり、
リンクは、一端部には該係止板をロックする係止爪を設け、他端部には該可動操作板のリンク用突起の摺動により応動できるように斜めに設けられたリンク用突起誘導溝を設けたもので、該可動鉄心の往復動を直角方向の往復動に変換できるものであり、
操作軸は、一端部には引張部材係合孔Ａを設け、その隣部には該係止板が該ラッチ受から離脱する方向に移動するように設けられたＶ字形の係止板誘導壁を設け、他端部には引張部材係合孔Ｂを設け、一体形成したもので、該リンクの往復動と同方向に往復動可能であり、また該操作軸の往復動はＶ字形の係止板誘導壁により該係止板を直角方向の往復動に変換できるものであり、
係止板は、一端部には該ラッチを直角方向から係止する係止突起を設け、略中央部には該リンクの係止爪が入り込む凹部とスプリングＡ受けとを設け、他端部には操作軸用突起を設けたもので、セルフロック機構のアンロック時に、該操作軸の一端部又は他端部の何れかを引張ると、該操作軸のＶ字形の係止板誘導壁と操作軸用突起とが摺動して該係止板が該ラッチから離脱する方向に移動し、引張っていた該操作軸の一端部又は他端部を離すと、該操作軸のＶ字形の係止板誘導壁と操作軸用突起とが摺動して該係止板が該ラッチを係止する方向に移動するものであり、セルフロック機構のアンロック時から初めて実施される該ソレノイド励磁による可動鉄心の吸引作動時にハートカム溝と係止ピンとが摺動し又該リンクがその吸引作動に応動することにより該リンクの係止爪が該凹部に入り込みロックされ、次に実施される該ソレノイド消磁による可動鉄心の復帰作動時にハートカム溝と係止ピンとの係合によりセルフロック機構がロックされ、該操作軸の往復動を抑制して該ラッチを係止保持し、セルフロック機構のロック時から初めて実施される該ソレノイド励磁による可動鉄心の吸引作動時にハートカム溝と係止ピンとが摺動し又該リンクがその復帰作動に応動することにより該リンクの係止爪が該凹部から離脱してアンロックされ、次に実施される該ソレノイド消磁による可動鉄心の復帰作動時にハートカム溝と係止ピンとの離脱によりセルフロック機構がアンロックされ、該操作軸の往復動を可能にして該ラッチを挿脱自在にし、
箱体本体は、略四角形の箱体で、該ソレノイドアクチュエータと、該可動操作板と、該リンクと、該係止板と、該圧縮コイルスプリングＡと、該操作軸と、を箱体内部の指定の場所に配設できる箱体であり、
箱体本体の左上部には、略四角形状のラッチ受の空間を設け、該ラッチ受の空間下部には該リンクが左右の横方向の往復動ができるようなリンク誘導溝部の空間を設けて、該リンクの一端部である係止爪が左側になるように該リンクを収納し、該リンク誘導溝部の空間の下部には、該係止板が上下の縦方向の往復動ができるような係止板誘導溝部の空間を設けて、該係止板の一端部である係止突起が該ラッチ受側になるように、該係止板のスプリングＡ受けと箱体本体左下壁との間に該圧縮コイルスプリングＡを装着した該係止板を収納し、該リンク誘導溝部の空間の右隣接部には、可動操作板を収納する空間を設け、該リンクの他端部であるリンク用突起誘導溝に該可動操作板の一端部にあるリンク用突起を係合させて該可動操作板を取付け、該可動操作板の他端部にあるハートカム溝に係止ピンの一端部が係止するように箱体本体には係止ピンの他端部と復帰ばねを取付け、箱体本体に設けられたスプリングＢ他端受け壁と該可動操作板のスプリングＢ一端受けとの間には圧縮コイルスプリングＢを装着し、該可動操作板を収納する空間の略中央部の下方部にはソレノイドアクチュエータを収納する空間を設けてソレノイドアクチュエータを取付け、該可動操作板の略中央部の突起と該ソレノイドアクチュエータの可動鉄心の係合孔とを係合させ、該係止板の他端部である操作軸用突起の上に、該操作軸のＶ字形の係止板誘導壁の略中央頂部が係合するように、そして該操作軸の一端部である引張部材係合孔Ａが箱体本体の左側面壁に設けられた軸受から突出するように、また該操作軸の他端部である引張部材係合孔Ｂが箱体本体の右側面壁に設けられた軸受から突出するように、該操作軸を箱体本体に取付け、箱体本体の該ラッチ受の空間と箱体蓋体のラッチ口とが重なるように箱体本体と箱体蓋体とを合わせたことを特徴とする洗濯機用洗濯槽扉係止装置。
【請求項２】
請求項１記載の洗濯機用洗濯槽扉係止装置において、一体形成した操作軸を操作軸Ａと操作軸Ｂの二分割とし、操作軸Ａの一端部には引張部材係合孔ＡＡを設け、操作軸Ａの他端部には該係止板が該ラッチ受から離脱する方向に移動するように斜めに設けられた係止板誘導壁Ａを設け、該箱体本体には該操作軸Ａの一端部である引張部材係合孔ＡＡが該箱体本体の左側面壁に設けられた軸受から突出するように取付けられ、また操作軸Ｂの一端部には引張部材係合孔ＢＢを設け、操作軸Ｂの他端部には該係止板が該ラッチ受から離脱する方向に移動するように斜めに設けられた係止板誘導壁Ｂを設け、該箱体本体には該操作軸Ｂの一端部である引張部材係合孔ＢＢが該箱体本体の右側面壁に設けられた軸受から突出するように取付けられ、
セルフロック機構のアンロック時に、該操作軸Ａの一端部又は該操作軸Ｂの一端部の何れかを引張ると、該操作軸Ａの他端部の斜めの係止板誘導壁Ａ又は該操作軸Ｂの他端部の斜めの係止板誘導壁Ｂと該係止板の操作軸用突起とが摺動して該係止板が該ラッチから離脱する方向に移動し、引張っていた該操作軸Ａの一端部又は該操作軸Ｂの一端部を離すと、該操作軸Ａの他端部の斜めの係止板誘導壁Ａ又は該操作軸Ｂの他端部の斜めの係止板誘導壁Ｂと該係止板の操作軸用突起とが摺動して該係止板が該ラッチを係止する方向に移動することを特徴とする請求項１記載の洗濯機用洗濯槽扉係止装置。
【発明の詳細な説明】
【技術分野】
【０００１】
本発明は、衣類を洗う特に叩き洗いが出来るドラム式構造の洗濯槽を有する洗濯機（洗濯槽内で洗濯・すすぎ工程及び脱水工程を行う機種や、洗濯槽内で洗濯・すすぎ工程、脱水工程及び乾燥工程等を行う機種がある。）の洗濯槽扉（蓋）を電磁係止するいわゆる電磁式セルフロック機構（ロック及びアンロックの操作を交互に行なえるもの。）を有する洗濯機用洗濯槽扉係止装置（電磁式ドアロック装置）に係るものであり、詳しくは左開きの洗濯槽扉の洗濯機にも、右開きの洗濯槽扉の洗濯機にも対応し、低操作力（軽作動力）で駆動でき、かつ容易に洗濯槽扉が開作動しないように工夫した洗濯機用洗濯槽扉係止装置の改善に関する。
【背景技術】
【０００２】
従来から、洗濯物を収容して回動駆動されるドラム式構造の洗濯槽（洗濯槽兼脱水槽）を内包した水槽を洗濯機筐体内に収容して該水槽内への給水、排水及び該ドラム式洗濯槽の回動を制御して洗濯、すすぎ、脱水の各工程を実施する洗濯機において、
該洗濯機筐体の正面側に形成されて該ドラム式構造の洗濯槽に対して洗濯物を出し入れするための開口部を開閉自在に覆いラッチ（扉をいつも開かない状態にする掛け金具）が内側に突設された洗濯槽扉と、該洗濯機筐体の正面側に設けられ該洗濯槽扉を開くための扉開ボタンと、該洗濯槽扉を閉じたときに該ラッチが入り込むラッチ受を有する開閉ロック部とを備え、
該開閉ロック部は、該洗濯槽扉を閉じたときに該ラッチ受に入り込んだ該ラッチに係止することで該洗濯槽蓋を閉じた状態に係止する係止部材と、該係止部材を該ラッチに係止する方向に付勢する第１付勢手段と、該第１付勢手段の付勢に抗して進出移動することで該係止部材を該ラッチに係止した状態から外れた状態に移動させる引張りピンと、該係止部材を該ラッチに係止した状態にロックするロック手段とにより構成され、
該扉開ボタンと該開閉ロック部との間には、回動軸を有し該扉開ボタンの押圧操作により該回動軸を回動支点として回動する開閉操作部材と、一端が該開閉操作部材に係合し他端が該引張りピンに連結された第２付勢手段と、該扉開ボタンと該開閉操作部材の間に取付けられ該扉開ボタンを押上げ方向に付勢する第３付勢手段とが設けられ、
該ロック手段が該係止部材をロックしていない状態においては、該扉開ボタンの押圧操作がなされると、該第３付勢手段の付勢に抗して該扉開ボタンが該開閉操作部材を押すことで該開閉操作部材が回動し、該開閉操作部材の回動に伴い該第２付勢手段は変形することなく該第１付勢手段の付勢に抗して引張りピンが進出移動することで該係止部材が該ラッチに係止した状態から外れた状態に移動し、
該ロック手段が該係止部材をロックしている状態においては、該扉開ボタンの押圧操作がなされると、該第３付勢手段の付勢に抗して該扉開ボタンが該開閉操作部材を押すことで該開閉操作部材が回動し、該開閉操作部材の回動に伴い該第２付勢手段が変形するようにしたことを特徴とする洗濯機が知られている（例えば、特許文献１参照）。
【０００３】
特許文献１に示される従来技術の係止部材の構造及び作用については、特許文献１の図４ないし図８を参照して詳しく説明されている。
特許文献１の明細書の段落番号００１４ないし段落番号００１５には、「図６に示すように、開閉操作部材９３の回動により係合スプリング６９が引かれると、係合スプリング６９の他端が係合する引張りピン１１１が係止バネ１１２の付勢に抗して進出移動し、係止板（係止部材）１１３を支軸１１４を回動支点として回動させるので、図８に示すように、ラッチ受９１に嵌り込んでいたラッチ９０のロック穴９０ａに嵌入している係止板１１３の突起部１１３ａが引き戻されてロック穴９０ａから外れるので、扉体８は図示しないバネ付勢により開かれる。扉開ボタン５６の押圧を解除すると、係止板１１３は係止バネ１１２の付勢により回動して、その突起部１１３ａをラッチ受９１内に進出させた位置に戻り、引張りピン１１１は後退移動するので、係合スプリング６９に引かれる開閉操作部材９３は回動し、押圧突起９４は扉開ボタン５６を押し上げ、押上バネ９２の付勢が働いて扉開ボタン５６は元の位置に復帰する。
扉体８を閉じる操作が行われると、ラッチ受９１に嵌まり込むラッチ９０の先端により突起部１１３ａはその先端の傾斜面が押圧される結果、係止板１１３を係止バネ１１２の付勢に抗して回動させ、ラッチ９０がラッチ受９１内に完全に入り込むと、突起部１１３ａがロック穴９０ａに入り込める状態になるので、係止バネ１１２の付勢を受ける係止板１１３が回動して、その突起部１１３ａをラッチ９０のロック穴９０ａに嵌入させるため、閉じられた扉体８は閉じた状態に係止される。」と、記載（符号は特許文献１に示されているものであり、本発明の明細書とは異なるものである。）されている。
【０００４】
【特許文献１】特許第３８１１６９６号公報
【特許文献２】特許第３７３６７３０号公報
【発明の開示】
【発明が解決しようとする課題】
【０００５】
しかしながら、従来技術の係止部材の構造では、係止板１１３を支軸１１４を回動支点として回動させているので、突起部１１３ａがロック穴９０ａから回動により斜めに外れる時には、ラッチ９０により突起部１１３ａの一部の角部に応力が掛かりすぎて破損のおそれがあるという課題が残されている。
また、左開きの洗濯槽扉の洗濯機用に設計されているため、係止板１１３や引張りピン１１１の配設されている位置が、扉開ボタン５６が配設されている位置に向くようになるようになっている。このままでは右開きの洗濯槽扉の洗濯機用には直接対応できず、例えば、すべての構成部材を反転させたものを再設計するなど、左開き用・右開き用の２種類（機種）の洗濯槽扉係止装置に係わる部材を用意する必要があるという課題が残されている。（なお、符号は特許文献１に示されているものであり、本発明の明細書とは異なるものである。）
【課題を解決するための手段】
【０００６】
本発明は、従来の技術の有するこのような問題点を鑑みてなされたものであり、その目的とするところは、左開きの洗濯槽扉の洗濯機にも、右開きの洗濯槽扉の洗濯機にも対応し、係止板の係止突起の破損を軽減させるように工夫した洗濯機用洗濯槽扉係止装置を提供しようとするものである。
【０００７】
上記目的を達成するために、本発明の洗濯機用洗濯槽扉係止装置においては、構成（ハード）的には、洗濯機に設けられたラッチ（扉をいつも開かない状態にする掛け金具で、金属製でも樹脂製でも良い。）を有する洗濯槽扉を閉じたときに該ラッチが入り込むラッチ受を有する箱体本体（例えば、ＡＢＳ樹脂の一体形成部材）と、ソレノイドアクチュエータと、該ソレノイドアクチュエータで駆動される可動操作板（例えば、ＰＯＭ樹脂の一体形成部材）と、該可動操作板に連動するリンク（例えば、ＰＯＭ樹脂の一体形成部材）と、該リンクでロック（係止）又はアンロック（係止解除）され該ラッチ受に入り込んだ該ラッチを係止する係止板（例えば、ＰＯＭ樹脂の一体形成部材）と、該係止板が該ラッチを係止する方向に常時弾発付勢するように設けられた圧縮コイルスプリングＡ（例えば、ステンレススチール線）と、洗濯機に設けられた洗濯槽扉を開くための扉開ボタンを操作することにより該係止板が該ラッチから離脱する方向に移動するように設けられた操作軸と、該ラッチが入り込むラッチ口を有する箱体蓋体（例えば、ＡＢＳ樹脂の一体形成部材）と、からなり、ハートカム溝と係止ピンとの係合及び離脱によるロック（係止）及びアンロック（係止解除）の操作を交互に行なえるハートカム（回転軸からの距離が一定でない周辺を有し、回転しながらその周辺で他の部材に種々の運動を与える装置。）方式のセルフロック機構を搭載した洗濯機用洗濯槽扉係止装置である。
細部においては、ソレノイドアクチュエータは、ボビン（例えば、ＰＡ樹脂の一体形成部材）に銅線（例えば、エナメル線）を巻装したソレノイドと、該ソレノイドの外周部を囲繞するヨーク（例えば、ステンレススチール平板をコ字状に加工したもの）と、該ヨークに固着された固定鉄心（例えば、ステンレススチール平板）と、該ソレノイドに内設され係合孔を有する可動鉄心（例えば、ステンレススチール平板）と、からなり、該可動鉄心（プランジャ、アーマチュアとも言う。）は、ソレノイド励磁（例えば、ソレノイドに直流１００Ｖを印加。）で吸引作動、ソレノイド消磁で復帰作動をすることにより往復動をし、
可動操作板は、該可動鉄心に連結して該可動鉄心の往復動の方向と同方向に往復動し、一端部にはリンク用突起（例えば、円柱形状）を設け、略中央部には該可動鉄心の係合孔に係合する突起とスプリングＢ一端受けとを設け、他端部にはハートカム溝（略中央部にハート形突起を設け、該ハート形突起の周囲の数カ所に階段状段差等を設けた係止ピン誘導溝。）を設け、該箱体本体に設けられたスプリングＢ他端受け壁と該可動操作板のスプリングＢ一端受けとの間に両者を常時弾発付勢するように圧縮コイルスプリングＢ（例えば、ステンレススチール線）を装着して該ソレノイド消磁時の該可動鉄心の復帰作動を容易にしたものであり、
リンクは、一端部には該係止板をロックする係止爪を設け、他端部には該可動操作板のリンク用突起の摺動により応動できるように斜めに設けられたリンク用突起誘導溝を設けたもので、該可動鉄心の往復動を直角方向の往復動に変換できるものであり、
操作軸（例えば、ＰＯＭ樹脂の一体形成部材）は、一端部には引張部材係合孔Ａを設け、その隣部には該係止板が該ラッチ受から離脱する方向に移動するように設けられたＶ字形の係止板誘導壁を設け、他端部には引張部材係合孔Ｂを設け、一体形成したもので、該リンクの往復動と同方向に往復動可能であり、また該操作軸の往復動はＶ字形の係止板誘導壁により該係止板を直角方向の往復動に変換できるものであり、
係止板は、一端部には該ラッチを直角方向から係止する係止突起（例えば、該ラッチが入り込み易くするためにテーパー状等にすると良い。）を設け、略中央部には該リンクの係止爪が入り込む凹部とスプリングＡ受けとを設け、他端部には操作軸用突起（例えば、円柱形状）を設けたもので、セルフロック機構のアンロック（係止解除）時に、該操作軸の一端部又は他端部の何れかを引張ると、該操作軸のＶ字形の係止板誘導壁と操作軸用突起とが摺動して該係止板が該ラッチから離脱する方向（下に行く縦方向）に移動し、引張っていた該操作軸の一端部又は他端部を離すと、該操作軸のＶ字形の係止板誘導壁と操作軸用突起とが摺動して該係止板が該ラッチを係止する方向（上に行く縦方向）に移動するものであり、セルフロック機構のアンロック（係止解除）時から初めて実施される該ソレノイド励磁による可動鉄心の吸引作動時にハートカム溝と係止ピンとが摺動し又該リンクがその吸引作動に応動することにより該リンクの係止爪が該凹部に入り込みロックされ、次に実施される該ソレノイド消磁による可動鉄心の復帰作動時にハートカム溝と係止ピンとの係合によりセルフロック機構がロック（係止）され、該操作軸の往復動を抑制して該ラッチを係止保持し、セルフロック機構のロック（係止）時から初めて実施される該ソレノイド励磁による可動鉄心の吸引作動時にハートカム溝と係止ピンとが摺動し又該リンクがその復帰作動に応動することにより該リンクの係止爪が該凹部から離脱してアンロック（係止解除）され、次に実施される該ソレノイド消磁による可動鉄心の復帰作動時にハートカム溝と係止ピンとの離脱によりセルフロック機構がアンロック（係止解除）され、該操作軸の往復動を可能にして該ラッチを挿脱自在にし、
箱体本体は、略四角形の箱体で、該ソレノイドアクチュエータと、該可動操作板と、該リンクと、該係止板と、該圧縮コイルスプリングＡと、該操作軸と、を箱体内部の指定の場所に配設できる箱体であり、
箱体本体の左上部には、略四角形状のラッチ受の空間を設け、該ラッチ受の空間下部には該リンクが左右の横方向の往復動ができるようなリンク誘導溝部の空間を設けて、該リンクの一端部である係止爪が左側になるように該リンクを収納し、該リンク誘導溝部の空間の下部には、該係止板が上下の縦方向の往復動ができるような係止板誘導溝部の空間を設けて、該係止板の一端部である係止突起が該ラッチ受側になるように、該係止板のスプリングＡ受けと箱体本体左下壁との間に該圧縮コイルスプリングＡを装着した該係止板を収納し、該リンク誘導溝部の空間の右隣接部には、可動操作板を収納する空間を設け、該リンクの他端部であるリンク用突起誘導溝に該可動操作板の一端部にあるリンク用突起を係合させて該可動操作板を取付け、該可動操作板の他端部にあるハートカム溝に係止ピン（可動操作板に設けられたハートカム溝詳しくはハート形突起の周囲の階段状段差の係止ピン誘導溝を摺動する部材で、形状はクランク状。）の一端部が係止するように箱体本体には係止ピンの他端部と復帰ばね（板ばね）を取付け、箱体本体に設けられたスプリングＢ他端受け壁と該可動操作板のスプリングＢ一端受けとの間には圧縮コイルスプリングＢを装着し、該可動操作板を収納する空間の略中央部の下方部にはソレノイドアクチュエータを収納する空間を設けてソレノイドアクチュエータを取付け、該可動操作板の略中央部の突起と該ソレノイドアクチュエータの可動鉄心の係合孔とを係合させ、該係止板の他端部である操作軸用突起の上に、該操作軸のＶ字形の係止板誘導壁の略中央頂部が係合するように、そして該操作軸の一端部である引張部材係合孔Ａが箱体本体の左側面壁に設けられた軸受から突出するように、また該操作軸の他端部である引張部材係合孔Ｂが箱体本体の右側面壁に設けられた軸受から突出するように、該操作軸を箱体本体に取付け、箱体本体の該ラッチ受の空間と箱体蓋体のラッチ口とが重なるように箱体本体と箱体蓋体とを合わせたことを特徴とする。
【０００８】
また、一体形成した操作軸（例えば、ＰＯＭ樹脂の一体形成部材）を操作軸Ａ（例えば、ＰＯＭ樹脂）と操作軸Ｂ（例えば、ＰＯＭ樹脂）の二分割とし、操作軸Ａの一端部には引張部材係合孔ＡＡを設け、操作軸Ａの他端部には該係止板が該ラッチ受から離脱する方向に移動するように斜めに設けられた係止板誘導壁Ａを設け、該箱体本体には該操作軸Ａの一端部である引張部材係合孔ＡＡが該箱体本体の左側面壁に設けられた軸受から突出するように取付けられ、操作軸Ｂの一端部には引張部材係合孔ＢＢを設け、操作軸Ｂの他端部には該係止板が該ラッチ受から離脱する方向に移動するように斜めに設けられた係止板誘導壁Ｂを設け、該箱体本体には該操作軸Ｂの一端部である引張部材係合孔ＢＢが該箱体本体の右側面壁に設けられた軸受から突出するように取付けられ、
セルフロック機構のアンロック時に、該操作軸Ａの一端部又は該操作軸Ｂの一端部の何れかを引張ると、該操作軸Ａの他端部の斜めの係止板誘導壁Ａ又は該操作軸Ｂの他端部の斜めの係止板誘導壁Ｂと該係止板の操作軸用突起とが摺動して該係止板が該ラッチから離脱する方向に移動し、引張っていた該操作軸Ａの一端部又は該操作軸Ｂの一端部を離すと、該操作軸Ａの他端部の斜めの係止板誘導壁Ａ又は該操作軸Ｂの他端部の斜めの係止板誘導壁Ｂと該係止板の操作軸用突起とが摺動して該係止板が該ラッチを係止する方向に移動することを特徴とする。
【０００９】
このように構成された本発明の洗濯機用洗濯槽扉係止装置については、圧縮コイルスプリングＡが従来技術の係止バネ（第１付勢手段）１１２に相当し、従来技術の扉開ボタン５６、開閉操作部材９３、押上バネ（第３付勢手段）９２、係合スプリング（第２付勢手段）６９、またそれに付随する部材等がそのまま使用（流用）できるものである。（なお、符号は特許文献１に示されているものであり、本発明の明細書とは異なるものである。）
【発明の効果】
【００１０】
洗濯機の洗濯槽扉に設けられたラッチを直角方向から係止する係止突起を設けたので、係止板の係止突起の一部の角部に応力が掛かりすぎることが無く破損を軽減させることができるという効果を奏する。
また、セルフロック機構のアンロック（係止解除）時に、箱体本体の左右から突出された操作軸の一端部又は他端部の何れかを引張ると、該操作軸のＶ字形の係止板誘導壁と係止板の操作軸用突起とが摺動して係止板が洗濯機の洗濯槽扉に設けられたラッチから離脱する方向に移動し、引張っていた該操作軸の一端部又は他端部を離すと、該操作軸のＶ字形の係止板誘導壁と操作軸用突起とが摺動して該係止板が該ラッチを係止する方向に移動するので、左開きの洗濯槽扉の洗濯機にも、右開きの洗濯槽扉の洗濯機にも対応することができるという効果を奏する。
【発明を実施するための最良の形態】
【００１１】
左開きの洗濯槽扉の洗濯機にも、右開きの洗濯槽扉の洗濯機にも対応することができるという目的を、箱体本体の左右から突出される操作軸の一端部又は他端部の何れかを引張るという構造に変更しただけで、洗濯機本体側にも特に追加部品も無く、コンパクト（スリム）性を損なわずに実現した。
【実施例１】
【００１２】
図１は本発明の一実施例の洗濯機用洗濯槽扉係止装置９０の上部正面の外観斜視図であり、ラッチ１９が入り込む前の状態を示した図である。図２は図１の外観斜視図を左側面から見た時のＡ−Ａ断面図であり、図２（ａ）はラッチ１９が入り込む前の状態を示した図であり、図２（ｂ）はラッチ１９が箱体蓋体７０のラッチ口７１に入り込んだ時の状態を示した図であり、図２（ｃ）はラッチ１９が箱体本体６０のラッチ受６１に入り込み係止板４０の係止突起４１で係止された時の状態を示した図である。図３はソレノイドアクチュエータ１０の構成を示した外観斜視図である。図４は可動操作板２０の外観図（拡大図）であり、図４（ａ）は可動操作板２０の裏面図であり、図４（ｂ）は可動操作板２０と係止ピン２６と復帰ばね２７の上部正面の外観斜視図である。図５はリンク３０の上部正面の外観斜視図（拡大図）である。図６は本発明の一実施例の操作軸５０と係止板４０の外観図であり、図６（ａ）は本発明の一実施例の操作軸５０の上部底面の外観斜視図であり、図６（ｂ）は本発明の一実施例の操作軸５０の上部正面の外観斜視図であり、図６（ｃ）は係止板４０の上部正面の外観斜視図であり、図６（ｄ）は係止板４０の左側面図であり、図６（ｅ）は係止板４０の上部に本発明の一実施例の操作軸５０を載置した状態を示した上部正面の外観斜視図である。図７は図１の外観斜視図を左側面から見た時のＢ−Ｂ断面図（拡大図）であり、ハートカム溝２４と係止ピン２６と復帰ばね２７との係わりを示した図である。図８は箱体蓋体７０を外した状態の本発明の一実施例の洗濯機用洗濯槽扉係止装置９０の正面図（縮小図。紐類８９においては一部切断した省略図）であり、図８（ａ）は本発明の一実施例の操作軸５０の定位置の状態を示した正面図であり、図８（ｂ）は本発明の一実施例の操作軸５０の一端部５１を引張った時の状態を示した正面図であり、図８（ｃ）は本発明の一実施例の操作軸５０の他端部５３を引張った時の状態を示した正面図である。図９は箱体本体６０の外観図であり、図９（ａ）は箱体本体６０の正面図であり、図４（ｂ）は箱体本体６０の上部正面の外観斜視図である。図１０は箱体蓋体７０を外した状態の本発明の一実施例の洗濯機用洗濯槽扉係止装置９０の９０度反転正面図（拡大図。紐類８９においては一部切断した省略図）である。図１１は洗濯機に本発明の一実施例の洗濯機用洗濯槽扉係止装置９０を配設した配置例の図であり、図１１（ａ）は左開きの洗濯槽扉の洗濯機９１（部分図）に本発明の一実施例の洗濯機用洗濯槽扉係止装置９０を配設した配置例の図であり、図１１（ｂ）は右開きの洗濯槽扉の洗濯機９６（部分図）に本発明の一実施例の洗濯機用洗濯槽扉係止装置９０を配設した配置例の図である。
【００１３】
図１ないし図１０を参照して、本発明の一実施例の洗濯機用洗濯槽扉係止装置９０の主な構成要素（部材）を説明する。
本発明の一実施例の洗濯機用洗濯槽扉係止装置９０は、主に、洗濯機（不図示。）に設けられた（貫通孔１８を有する）ラッチ１９を有する洗濯槽扉（不図示。）を閉じたときに該ラッチ１９が入り込むラッチ受６１を有する箱体本体（ケース）６０と、ソレノイドアクチュエータ１０と、該ソレノイドアクチュエータ１０で駆動される可動操作板２０と、該可動操作板２０に連動するリンク３０と、該リンク３０の係止爪３１でロック（係止）又はアンロック（係止解除）され、該ラッチ受６１に入り込んだ該ラッチ１９を係止する係止板４０と、該係止板４０が該ラッチ１９を係止する方向に常時弾発付勢するように設けられた圧縮コイルスプリングＡ４６と、洗濯機に設けられた洗濯槽扉を開くための扉開ボタン（図１１における９２又は９７。９２は左開きの洗濯槽扉の洗濯機９１の扉開ボタン。９７は右開きの洗濯槽扉の洗濯機９６の扉開ボタン。）を操作することにより該係止板４０の係止突起４１が該ラッチ１９から離脱する方向に移動するように設けられた操作軸５０と、該ラッチ１９が入り込むラッチ口７１を有する箱体蓋体７０（ケース蓋。例えば、ＡＢＳ樹脂の一体形成部材）と、からなる。
また、図７に示すように、本発明の一実施例の洗濯機用洗濯槽扉係止装置９０は、ハートカム溝２４（略中央部にハート形突起を設け、該ハート形突起の周囲の数カ所に階段状段差等を設けた係止ピン誘導溝。）と係止ピン２６（可動操作板２０に設けられたハートカム溝２４詳しくはハート形突起の周囲の階段状段差の係止ピン誘導溝を摺動する部材で、形状はクランク状。例えば、ステンレススチール線で形成する。）との係合及び離脱によるロック（係止）及びアンロック（係止解除）の操作を交互に行なえるハートカム方式のセルフロック機構を搭載する。
【００１４】
図３に示すように、ソレノイドアクチュエータ１０は、略角筒状のボビン１２（例えば、ＰＡ樹脂の一体形成部材）に銅線（例えば、エナメル線等のマグネットワイヤ）を巻装し端子片１１（例えば、銅板）に接続し、電気絶縁材（例えば、ポリエステル樹脂、エポキシ樹脂、シリコーン樹脂、ウレタン樹脂等の接着シール材等で、他の材質の防水対策材、防湿対策材、結露対策材用等のものも含む。）で封止したソレノイド１３と、該ソレノイド１３の外周部を例えば、コ字状に囲繞するヨーク１４（例えば、ステンレススチール平板）と、該ソレノイド１３の内部から挿入されて該ヨーク１４に固着される固定鉄心１５（例えば、ステンレススチール平板）と、該ソレノイド１３に内設され係合孔１６を有する可動鉄心１７（例えば、ステンレススチール平板）と、からなる。
該可動鉄心１７は、ハートカム方式のセルフロック機構のアンロック（係止解除）時から初めて実施される該ソレノイド１３の励磁（例えば、ソレノイド１３の端子片１１間に、交流１００Ｖを全波整流した電圧を印加。）では、吸引作動（同時にハートカム溝２４と係止ピン２６とが摺動をする。）をし、本発明の一実施例においては所定の復帰位置から約７ｍｍ程度移動する。そして、次に実施されるソレノイド１３の消磁では、復帰作動（同時にハートカム溝２４と係止ピン２６とが係合される。）をし、本発明の一実施例においては約５ｍｍ程度復帰位置方向に移動して係止位置で停止し、ハートカム方式のセルフロック機構がロック（係止）される。
また、該可動鉄心１７は、ハートカム方式のセルフロック機構のロック（係止）時から初めて実施される該ソレノイド１３の励磁では吸引作動（同時にハートカム溝２４と係止ピン２６とが摺動をする。）をし、本発明の一実施例においては係止位置から約５ｍｍ程度移動する。そして、次に実施されるソレノイド１３の消磁では復帰作動（同時にハートカム溝２４と係止ピン２６とが離脱される。）をし、本発明の一実施例においては約７ｍｍ程度移動して復帰位置に戻り、ハートカム方式のセルフロック機構がアンロック（係止解除）される。
該可動鉄心１７は、前記のようなソレノイド１３の励磁（吸引作動）及び消磁（復帰作動）を繰り返すことにより、規定の往復動（本発明の一実施例においては図１０における縦の上下方向）をする。
【００１５】
図４に示すように、可動操作板２０（例えば、ＰＯＭ樹脂の一体形成部材）は、該可動鉄心１７に連結して該可動鉄心１７の往復動の方向と同方向に往復動（本発明の一実施例においては図１０における縦の上下方向）し、一端部にはリンク用突起２１を設け、略中央部には該可動鉄心１７の係合孔１６に係合する突起２２とスプリングＢ一端受け２８を設け、他端部にはハートカム溝２４（略中央部にハート形突起を設け、該ハート形突起の周囲の数カ所に階段状段差等を設けた係止ピン誘導溝。）を設け、該箱体本体６０に設けられたスプリングＢ他端受け壁７５と該可動操作板２０のスプリングＢ一端受け２８との間に両者を常時弾発付勢するように圧縮コイルスプリングＢ２５（巻線ばね。例えば、ステンレススチール線）を装着して該ソレノイド１３の消磁時の該可動鉄心１７の復帰作動を容易にしたものである。
その他に、可動操作板２０には、係止ピン２６の手動解除槓杆（レバー）８６が往復動できるように、槓杆（レバー）ストッパー２９が設けられたり、また、該可動鉄心１７の吸引確認検出ができるように、吸引確認用転換器３５のスイッチ部を押す圧縮コイルスプリングＤ３３の一端を受けるスプリングＤ一端受け２３が設けられている。
【００１６】
図５に示すように、リンク３０（例えば、ＰＯＭ樹脂の一体形成部材）は、一端部には該係止板４０をロック（係止）する係止爪３１を設け、他端部には該可動操作板２０のリンク用突起２１の摺動により応動できるように斜めに設けられたリンク用突起誘導溝３２を設けたものである。
リンク用突起誘導溝３２の斜めの角度については、該可動鉄心１７の復帰位置から係止位置までの往復動の移動量（約７ｍｍ程度）にあわせて、本発明の一実施例においては約４５度に設計したが、この角度を任意に変更することにより、該リンク３０の移動量を変更できるものである。                              このように、該可動操作板２０のリンク用突起２１と、該リンク３０のリンク用突起誘導溝３２と、の摺動により、該可動鉄心１７の往復動（本発明の一実施例においては図１０における縦の上下方向）を直角方向の往復動（本発明の一実施例においては図１０における横の左右方向）に変換できるものである。
【００１７】
図６に示すように、本発明の一実施例の操作軸５０は、一端部５１には引張部材係合孔Ａを設け、その隣部には係止板４０が該ラッチ受６１から離脱する方向（本発明の一実施例においては図１０における縦の下方向）に移動するように設けられたＶ字形の係止板誘導壁５２を設け、他端部５３には引張部材係合孔Ｂを設け、一体形成（例えば、ＰＯＭ樹脂の一体形成部材）したものである。
Ｖ字形の係止板誘導壁５２のＶ字形の角度については、係止板４０の往復動の移動量（約５ｍｍ程度）にあわせて、該操作軸５０の移動量を約６ｍｍ程度とするために、本発明の一実施例においては約９０度に設計したが、この角度を任意に変更することにより、該操作軸５０の移動量を変更できるものである。
図１１（ｂ）に示すように、本発明の一実施例の操作軸５０の一端部５１の引張部材係合孔Ａには、従来技術の右開きの洗濯槽扉の洗濯機９６の上部に配設される扉開ボタン９７（不図示ではあるが、該扉開ボタン９７には該扉開ボタン９７を押上げ方向に付勢する第３付勢手段が設けられている。）の一端部に取付けられた係合スプリング９８（第２付勢手段）の他端部が係合されて使用されるが、操作軸５０の他端部５３の引張部材係合孔Ｂに係合スプリング９８（第２付勢手段）の他端部を係合することにより、扉開ボタン９７を洗濯機９６の下部に配設することも可能である。
また、図１１（ａ）に示すように、本発明の一実施例の操作軸５０の他端部５３の引張部材係合孔Ｂには、従来技術の左開きの洗濯槽扉の洗濯機９１の上部に配設される扉開ボタン９２（不図示ではあるが、該扉開ボタン９２には該扉開ボタン９２を押上げ方向に付勢する第３付勢手段が設けられている。）の一端部に取付けられた係合スプリング９３（第２付勢手段）の他端部が係合されて使用されるが、操作軸５０の他端部５１の引張部材係合孔Ａに係合スプリング９３（第２付勢手段）の他端部を係合することにより、扉開ボタン９２を洗濯機９１の下部に配設することも可能である。
そして、操作軸５０は、該リンク３０の往復動（本発明の一実施例においては図１０における横の左右方向）と同方向に往復動可能であり、また該操作軸５０の往復動はＶ字形の係止板誘導壁５２により該係止板４０を直角方向の往復動（本発明の一実施例においては図１０における縦の上下方向）に変換できるものである。
図６（ｅ）に示すように、係止板４０の上部に操作軸５０を載置するように取付けられるが、この時は該係止板４０の他端部である操作軸用突起４２の上に、該操作軸５０のＶ字形の係止板誘導壁５２の略中央頂部が係合する。また、この状態が操作軸５０の復帰位置である。
【００１８】
図６に示すように、係止板４０（例えば、ＰＯＭ樹脂の一体形成部材）は、一端部には該ラッチ１９の貫通孔１８に直角方向から挿入して係止する係止突起４１を設け、略中央部には該リンク３０の係止爪３１が入り込む凹部４３とスプリングＡ受け４４とを設け、他端部には該操作軸５０のＶ字形の係止板誘導壁５２の略中央頂部と係合する操作軸用突起４２を設けたものである。
このスプリングＡ受け４４には、圧縮コイルスプリングＡ４６（巻線ばね。例えば、ステンレススチール線）が環装される。この圧縮コイルスプリングＡ４６は、該係止板４０が該ラッチ１９を係止する方向に常時弾発付勢するように設けられたものであり、従来技術の係止バネ（第１付勢手段）に相当するものである。
【００１９】
ここで、本発明の一実施例の操作軸５０と係止板４０の作用（ソフト）を説明する。
図８（ａ）は操作軸５０の定位置の状態を示した正面図である。
まず、図８（ｂ）又は図１１（ｂ）に示すように、セルフロック機構のアンロック（係止解除）時に、従来技術の右開きの洗濯槽扉の洗濯機９６の扉開ボタン９７が操作された時を想定し、該操作軸５０の一端部５１を引張ると、該操作軸５０のＶ字形の係止板誘導壁５２と該係止板４０の操作軸用突起４２とが摺動して該係止板４０の係止突起４１が該ラッチ１９の貫通孔１８から離脱する方向（本発明の一実施例においては図１０における縦の下方向）に移動するものである。
そして、従来技術の右開きの洗濯槽扉の洗濯機９６（部分図）の洗濯槽扉（不図示。）が閉められた時を想定し、引張っていた該操作軸５０の一端部５１を離すと、該操作軸５０のＶ字形の係止板誘導壁５２と該係止板４０の操作軸用突起４２とが摺動して該係止板４０の係止突起４１が該ラッチ１９の貫通孔１８に挿入されて係止する方向（本発明の一実施例においては図１０における縦の上方向）に移動するものである。
【００２０】
次に、図８（ｃ）又は図１１（ａ）に示すように、セルフロック機構のアンロック（係止解除）時に、従来技術の左開きの洗濯槽扉の洗濯機９１の扉開ボタン９２が操作された時を想定し、該操作軸５０の他端部５３を引張ると、該操作軸５０のＶ字形の係止板誘導壁５２と該係止板４０の操作軸用突起４２とが摺動して該係止板４０の係止突起４１が該ラッチ１９の貫通孔１８から離脱する方向（本発明の一実施例においては図１０における縦の下方向）に移動するものである。
そして、従来技術の左開きの洗濯槽扉の洗濯機９１（部分図）の洗濯槽扉（不図示。）が閉められた時を想定し、引張っていた該操作軸５０の他端部５３を離すと、該操作軸５０のＶ字形の係止板誘導壁５２と該係止板４０の操作軸用突起４２とが摺動して該係止板４０の係止突起４１が該ラッチ１９の貫通孔１８に挿入されて係止する方向（本発明の一実施例においては図１０における縦の上方向）に移動するものである。
このように、該操作軸５０の一端部５１又は他端部５３の何れかを引張っても、該ラッチ１９のロック（係止）及びアンロック（係止解除）が可能なので、従来技術の左開きの洗濯槽扉の洗濯機９１にも、右開きの洗濯槽扉の洗濯機９７にも対応することができるものである。
【００２１】
そして、リンク３０と係止板４０の作用（ソフト）を説明する。
セルフロック機構のアンロック（係止解除）時から初めて実施される該ソレノイド１３の励磁による可動鉄心１７の吸引作動時にハートカム溝２４と係止ピン２６とが摺動し又該リンク３０がその吸引作動に応動することにより該リンク３０の係止爪３１が該係止板４０の凹部４３に入り込み（本発明の一実施例においては図１０における横の右方向に移動する。）そして該係止板４０がロック（係止）される。次に実施される該ソレノイド１３の消磁による可動鉄心１７の復帰作動時にハートカム溝２４と係止ピン２６との係合によりセルフロック機構がロック（係止）され、該操作軸５０の往復動（本発明の一実施例においては図１０における横の左右方向）を抑制して該ラッチ１９を係止保持する。
セルフロック機構のロック（係止）時から初めて実施される該ソレノイド１３の励磁による可動鉄心１７の吸引作動時にハートカム溝２４と係止ピン２６とが摺動し又該リンク３０がその復帰作動に応動することにより該リンク３０の係止爪３１が該係止板４０の凹部４３から離脱（本発明の一実施例においては図１０における横の左方向に移動する。）して該係止板４０がアンロック（係止解除）される。次に実施される該ソレノイド１３の消磁による可動鉄心１７の復帰作動時にハートカム溝２４と係止ピン２６との離脱によりセルフロック機構がアンロック（係止解除）され、該操作軸５０の往復動（本発明の一実施例においては図１０における横の左右方向）を可能にして該ラッチ１９を挿脱（開閉）自在にするものである。
【００２２】
図９に示すように、箱体本体６０は、略四角形の箱体で、本発明の一実施例の洗濯機用洗濯槽扉係止装置９０の主な構成要素（部材）である、該ソレノイドアクチュエータ１０と、該可動操作板２０と、該圧縮コイルスプリングＢ２５と、該リンク３０と、該係止板４０と、該圧縮コイルスプリングＡ４６と、該操作軸５０と、他の関連部材と、を箱体内部の指定の場所に配設できる箱体（例えば、ＡＢＳ樹脂の一体形成部材）である。また、箱体本体６０を箱体蓋体７０で蓋をすることにより、本発明の一実施例の洗濯機用洗濯槽扉係止装置９０の主な構成要素（部材）を、塵埃や水滴等から保護する役目も担っている。
ここで、箱体本体６０に設けられた空間や壁、孔等の説明をする。
箱体本体６０の左上部には略四角形状壁で形成したラッチ受６１の空間が有り、該ラッチ受６１の空間下部にはリンク誘導溝部６２の空間が有り、該リンク誘導溝部６２の空間の下部には係止板誘導溝部６３の空間が有り、該係止板誘導溝部６３の空間の下方壁（左下壁）にはスプリングＡ受部６４が設けられ、該係止板誘導溝部６３の空間の右隣接部には吸引確認用転換器３５を収納する空間７２が有り、該リンク誘導溝部６２の空間の右隣接部には可動操作板２０を収納する空間６８が有り、該可動操作板２０を収納する空間６８内にはスプリングＢ他端受け壁７５と係止ピン他端部取付孔７６と復帰ばね取付孔７７とが有り、該可動操作板２０を収納する空間６８の略中央部の下方部にはソレノイドアクチュエータ１０を収納する空間６５が有り、右上部には圧縮コイルスプリングＣ（不図示。）と押釦部８０とを収納する空間７８が有り、該圧縮コイルスプリングＣ（巻線ばね。例えば、ステンレススチール線）と押釦部８０とを収納する空間７８の下方部には押板８１を収納する空間７３及び復帰バネ８２他端受け壁７９が有り、復帰バネ８２他端受け壁７９の下部には開閉器８３を収納する空間７４が有り、箱体本体６０の左側面壁には軸受６６が有り、箱体本体６０の右側面壁には軸受６７が有る。
尚、箱体本体６０の右上部には圧縮コイルスプリングＣ（不図示。）と押釦部８０とを収納する空間７８が有るが、顧客仕様等により、該係止板誘導溝部６３の空間の左隣接部の何も無い空間に変更・移動することは可能である。
【００２３】
そして、箱体本体６０に設けられた各々の空間や壁、孔等に配設される本発明の一実施例の洗濯機用洗濯槽扉係止装置９０の主な構成要素（部材）の取付方法や構成要素（部材）同士の関連性等を説明をする。
箱体本体６０の該リンク誘導溝部６２の空間には該リンク３０の一端部である係止爪３１が左側になるように該リンク３０を収納し、該係止板誘導溝部６３の空間には該係止板４０の一端部である係止突起４１が該ラッチ受６１側になるように、該係止板４０のスプリングＡ受け４４と箱体本体６０左下壁のスプリングＡ受部６４との間に該圧縮コイルスプリングＡ４６を装着した該係止板４０を収納し、該可動操作板２０を収納する空間６８には該リンク３０の他端部であるリンク用突起誘導溝３２に該可動操作板２０の一端部にあるリンク用突起２１を係合させて該可動操作板２０を取付け、該可動操作板２０の他端部にあるハートカム溝２４に係止ピン２６の一端部が係止するように、係止ピン他端部取付孔７６には係止ピン２６の他端部を取付け、復帰ばね取付孔７７には復帰ばね２７（板ばね）を取付け、箱体本体６０に設けられたスプリングＢ他端受け壁７５と該可動操作板２０のスプリングＢ一端受け２８との間には圧縮コイルスプリングＢ２５を装着し、該ソレノイドアクチュエータ１０を収納する空間６５にはソレノイドアクチュエータ１０を取付け、該可動操作板２０の略中央部の突起２２と該ソレノイドアクチュエータ１０の可動鉄心１７の係合孔１６とを係合させ、該係止板４０の他端部である操作軸用突起４２の上に、該操作軸５０のＶ字形の係止板誘導壁５２の略中央頂部が係合するように、そして該操作軸５０の一端部５１である引張部材係合孔Ａが該軸受６６から突出するように、また該操作軸５０の他端部５３である引張部材係合孔Ｂが該軸受６７から突出するように、該操作軸５０を箱体本体６０に取付ける。
該可動操作板２０の略中央部の突起２２と該ソレノイドアクチュエータ１０の可動鉄心１７の係合孔１６とを係合させる時には、衝突音を緩衝させるために、例えば、軟質ゴムやスポンジ等のダンパー等を装着すると良い。
最後に、箱体本体６０の該ラッチ受６１の空間と、箱体蓋体７０のラッチ口７１と、が重なるように箱体本体６０と箱体蓋体７０とを合わせる。本発明の一実施例においては、箱体蓋体７０が嵌脱自在になるように、タッピングネジ９９（例えば、ステンレススチール製）で止めたが、嵌脱の必要性が無い場合などは、例えば、箱体本体６０と箱体蓋体７０とを形成している樹脂同士を熱溶着（固着）しても良い。
【００２４】
本発明の一実施例の洗濯機用洗濯槽扉係止装置９０には、前記のような主な構成要素（部材）の他にいろいろな検出機構（装置）等が搭載されているので、それらについても説明する。（尚、詳細は特許文献２に示されている。）
まず、洗濯機（不図示。）に設けられたラッチ１９を有する洗濯槽扉（不図示。）の開閉検出機構であるが、その前に、特許文献２の明細書の段落番号０００８には、「先ず、本発明の一実施例の電気機器箱体の扉用扉爪掛止装置１０の十分な効果を得るために、電気機器１００の扉１０１には、扉開閉槓杆１０４と、該扉開閉槓杆１０４に連動する扉爪１０２と、該扉爪１０２よりも扉１０１の中央寄り側に配置されるように凸起している押棒１０３（形状、寸法等は特に問わない。）と、等を設置することが望ましい。」と、記載（符号は特許文献２に示されているものであり、本発明の明細書とは異なるものである。）されているように、本発明の一実施例の洗濯機用洗濯槽扉係止装置９０を搭載する洗濯機（不図示。）に設けられたラッチ１９を有する洗濯槽扉（不図示。）にも凸起している押棒を設置することが望ましい（例えば、特許文献２の図１３参照。）。
【００２５】
特許文献２の明細書の段落番号０００９ないし段落番号００１１には、「該掛止本体４０の摺動に連動する吸引確認用転換器６０（例えば、マイクロスイッチ、片切スイッチ、両切スイッチ、点滅器）と、該押棒１０３で押される押釦部７０（例えば、ＡＢＳ樹脂）と、該押釦部７０を常時弾発付勢している圧縮渦巻発条（Ｃ）７１（例えば、ステンレススチール線）と、該押釦部７０の移動に連動する弾発横杆部７２（例えば、ステンレススチール板）と、該弾発横杆部７２に連動する開閉器７３（例えば、マイクロスイッチ、片切スイッチ、両切スイッチ、点滅器）と、該掛止ピン４２の手動解除槓杆８０（例えば、ＡＢＳ樹脂）と、該手動解除槓杆８０を常時弾発付勢している圧縮渦巻発条（Ｄ）８１（例えば、ステンレススチール線）と、該手動解除槓杆に結ばれた紐類８２と、からなる。
ここで、扉爪１０２が挿脱及び掛止できる電磁式扉爪掛止機構の主要構成（部品）は、開口部２１（上部小箱２０）と、扉爪収納部３１と、掛止本体４０（ハートカム４１）と、掛止ピン４２と、可動鉄芯５１と、可動鉄芯吸引型電磁石５０と、等である。
又、電磁式扉爪掛止機構の手動掛止解除機構の主要構成（部品）は、手動解除槓杆８０と、紐類８２と、等である。
そして、押棒１０３の挿脱を検出する扉開閉検出機構の主要構成（部品）は、押釦部７０と、弾発横杆部７２と、開閉器７３と、等である。
尚、本発明の一実施例の電気機器箱体の扉用扉爪掛止装置１０においては、例えば、図７の正面図のように、掛止本体４０の摺動に連動する吸引確認用転換器６０を下部に設け、押釦部７０及び開閉器７３を上部に設けた（押棒１０３を扉１０１の中央寄り側に設けた方が、扉の内部から扉を押した時に、扉の僅かな歪みで扉開閉検出が行える。又、扉爪１０２と押棒１０３とを近設することができる。）が、掛止本体４０の摺動に連動する吸引確認用転換器６０を上部に設け、押釦部７０及び開閉器７３を下部に設けても良い。（扉爪１０２と押棒１０３とを隔離して配置したい場合などは有利である。）」と、記載（符号は特許文献２に示されているものであり、本発明の明細書とは異なるものである。）されているように、
本発明の一実施例の洗濯機用洗濯槽扉係止装置９０においても、洗濯機（不図示。）の洗濯槽扉（不図示。）に設けられた押棒（不図示。）で押される押釦部８０（例えば、ＡＢＳ樹脂）と、該押釦部８０を常時弾発付勢する圧縮コイルスプリングＣ（不図示。）と、押釦部８０の移動に連動する押板８１と、該押板８１を復帰させる復帰バネ８２と、該押板８１に連動しスイッチ部を有する開閉器８３（例えば、マイクロスイッチ、片切スイッチ、両切スイッチ、点滅器）と、を設けて、洗濯槽扉の開閉検出が実施できるように構成してある。
詳しくは、箱体本体６０の該圧縮コイルスプリングＣ（不図示。）と押釦部８０とを収納する空間７８には圧縮コイルスプリングＣ（巻線ばね。例えば、ステンレススチール線。不図示。）を先に収納し、その上に押釦部８０を収納（載置）し、該押板８１を収納する空間７３には該復帰バネ８２の一端部を該押板８１の内壁で該復帰バネ８２の他端部を該復帰バネ８２他端受け壁７９で係止するように押板８１の内周部に復帰バネ８２を装着して押板８１を収納し、該開閉器８３を収納する空間７４には該開閉器８３を収納している。また、不図示ではあるが、該開閉器８３の複数の出力端子片と外部ケーブル接続用のコネクタ（例えば、レセプタクル側）の複数の外部端子片とを電気的に接続（例えば、圧着、半田付、溶接）して、該箱体本体６０に取付けると良い。そして、外部ケーブル接続用のコネクタ（例えば、レセプタクル側）内の内部端子片には、開閉検出信号伝達用の外部ケーブルに設けられたコネクタ（例えば、プラグ側）が接続（嵌合）される。
洗濯槽扉の開閉検出の作用について説明する。洗濯槽扉（不図示。）を閉めると、該洗濯槽扉に設けられた押棒（不図示。）で押釦部８０が押されて圧縮コイルスプリングＣ（不図示。）が圧縮する。該押釦部８０が移動（本発明の一実施例においては図１０における奥行方向に移動する。）すると、本発明の一実施例においては該押釦部８０に連動する押板８１が図１０における縦の下方向に移動し、該押板８１が開閉器８３のスイッチ部を押して、スイッチ開閉信号（閉扉情報）を開閉検出信号伝達用の外部ケーブルで外部に伝達する。
また、洗濯槽扉が開くと、該押釦部８０を押していた該押棒が離れる。すると、圧縮していた該圧縮コイルスプリングＣが該押釦部８０を押上げ、同時に開閉器８３のスイッチ部を押していた該押板８１が復帰バネ８２で復帰位置まで戻され（本発明の一実施例においては図１０における縦の上方向に移動する。）、該押板８１が開閉器８３のスイッチ部から離れて、反転したスイッチ開閉信号（開扉情報）を開閉検出信号伝達用の外部ケーブルで外部に伝達する。
【００２６】
また、可動操作板２０には、スプリングＤ一端受け２３を設け、そのスプリングＤ一端受け２３に対峙するようにスイッチ部を有する吸引確認用転換器３５（例えば、マイクロスイッチ、片切スイッチ、両切スイッチ、点滅器）を設け、スプリングＤ一端受け２３と吸引確認用転換器３５との間に圧縮コイルスプリングＤ３３を設けて、該可動鉄心１７の吸引確認検出が実施できるように構成してある。
詳しくは、箱体本体６０の該吸引確認用転換器３５を収納する空間７２には吸引確認用転換器３５を収納し、可動操作板２０のスプリングＤ一端受け２３には圧縮コイルスプリングＤ３３（巻線ばね。例えば、ステンレススチール線）の一端部を環装して該吸引確認用転換器３５のスイッチ部に該圧縮コイルスプリングＤ３３の他端部がさわるように取付ける。また、不図示ではあるが、該吸引確認用転換器３５の複数の出力端子片と外部ケーブル接続用のコネクタ（例えば、レセプタクル側）の複数の外部端子片とを電気的に接続（例えば、圧着、半田付、溶接）して、該箱体本体６０に取付けると良い。そして、外部ケーブル接続用のコネクタ（例えば、レセプタクル側）内の内部端子片には、吸引確認信号伝達用の外部ケーブルに設けられたコネクタ（例えば、プラグ側）が接続（嵌合）される。
可動鉄心１７の吸引確認検出の作用について説明する。ソレノイド１３の励磁による可動鉄心１７の吸引作動時に、可動操作板２０が連動（本発明の一実施例においては図１０における縦の下方向に移動する。）すると、該圧縮コイルスプリングＤ３３が該吸引確認用転換器３５のスイッチ部を押して、スイッチ開閉信号（吸引情報）を吸引確認信号伝達用の外部ケーブルで外部に伝達する。
また、ソレノイド１３の消磁による可動鉄心１７の復帰作動時に、可動操作板２０が連動（本発明の一実施例においては図１０における縦の上方向に移動する。）すると、該吸引確認用転換器３５のスイッチ部を押していた圧縮コイルスプリングＤ３３が該吸引確認用転換器３５のスイッチ部から離れて、反転したスイッチ開閉信号（復帰情報）を吸引確認信号伝達用の外部ケーブルで外部に伝達する。
【００２７】
そして、本発明の一実施例の洗濯機用洗濯槽扉係止装置９０のソレノイドアクチュエータ１０等が故障し、例えば、ハートカム方式のセルフロック機構（ハートカム溝２４と係止ピン２６との係合及び離脱によるロック（係止）及びアンロック（係止解除）の操作を交互に行なえる機構）が作動不能になった場合を想定し、可動操作板２０の他端部であるハートカム溝２４に係止ピン２６の一端部が係止されているところに、該係止ピン２６の手動解除槓杆（レバー）８６（例えば、ＡＢＳ樹脂）と、該手動解除槓杆８６を復帰させる復帰バネ８７（例えば、ステンレススチール線）と、該手動解除槓杆８６に結ばれた紐類８９（例えば、ナイロン繊維）と、を設け、可動操作板２０の槓杆（レバー）ストッパー２９に取付けてある。そして、本発明の一実施例の洗濯機用洗濯槽扉係止装置９０の外部に紐類８９の一方を出しておいて、該紐類８９の一方（手動解除槓杆８６に結ばれている方）を引張れば、緊急手動解除が実施できるように構成してある。
【００２８】
さらに、例えば、洗濯機９１（部分図）に設けられた洗濯槽扉（不図示。）を開くための扉開ボタン９２が操作不能になった場合を想定し、係止板４０の他端部の操作軸用突起４２の近傍には凹形軸受４５を設け、該凹形軸受４５には手動開閉棒８８の一端部が取付けられ、該手動開閉棒８８の他端部には該手動解除槓杆８６に結ばれた紐類８９の片方が結ばれる。そして、本発明の一実施例の洗濯機用洗濯槽扉係止装置９０の外部に紐類８９の他方を出しておいて、該紐類８９の他方（手動開閉槓杆８８に結ばれている方）を引張れば、洗濯機９１（部分図）の洗濯槽扉（不図示。）の緊急手動解除が実施できるように構成してある。
本発明の一実施例においては、１本の紐類８９で、該手動解除槓杆８６と該手動開閉棒８８とを連結するように、該手動解除槓杆８６に紐類８９一方を該手動開閉棒８８に紐類８９他方を取付けたが、２本の紐類８９を、該手動解除槓杆８６と該手動開閉棒８８とに各々結んで出しておいても良い。
【実施例２】
【００２９】
実施例２においては、本発明の一実施例の洗濯機用洗濯槽扉係止装置９０において、実施例１の一体形成した本発明の一実施例の操作軸５０以外は、全て同じ構成要素（部材）を使用するので、該操作軸５０以外の構成要素（部材）については、詳細な説明を割愛する。
図１２は本発明の他実施例の操作軸（操作軸Ａ５４及び操作軸Ｂ５７）の外観図であり、図１２（ａ）は操作軸Ａ５４及び操作軸Ｂ５７の上部正面の外観斜視図であり、図１２（ｂ）は係止板４０の上部に本発明の他実施例の操作軸（操作軸Ａ５４及び操作軸Ｂ５７）を載置した状態を示した上部正面の外観斜視図であり、図１２（ｃ）は本発明の一実施例の操作軸５０を二分割した操作軸Ｃ４７及び操作軸Ｄ４８の上部正面の外観斜視図である。
【００３０】
図１２（ａ）に示すように、本発明の他実施例の操作軸においては、実施例１の一体形成した本発明の一実施例の操作軸５０を、操作軸Ａ５４（例えば、ＰＯＭ樹脂）と操作軸Ｂ５７（例えば、ＰＯＭ樹脂）の二分割とした。
図１２（ｂ）に示すように、係止板４０の上部に本発明の他実施例の操作軸（操作軸Ａ５４の他端部５６と操作軸Ｂ５７の他端部５９とを重ねるようにする。）を載置するように取付けられる。この状態が本発明の他実施例の操作軸（操作軸Ａ５４及び操作軸Ｂ５７）の復帰位置である。
【００３１】
操作軸Ａ５４の一端部５５には引張部材係合孔ＡＡを設け、操作軸Ａ５４の他端部５６には該係止板４０が該ラッチ受６１から離脱する方向に移動するように斜めに設けられた係止板誘導壁Ａを設けた。該箱体本体６０には該操作軸Ａ５４の一端部５５である引張部材係合孔ＡＡが該箱体本体６０の左側面壁に設けられた軸受６６から突出するように取付けられる。
操作軸Ａ５４の他端部５６の係止板誘導壁Ａの斜めの角度については、係止板４０の往復動の移動量（約５ｍｍ程度）にあわせて、該操作軸Ａ５４の移動量を約６ｍｍ程度とするために、本発明の他実施例においては約４５度に設計したが、この角度を任意に変更することにより、該操作軸Ａ５４の移動量を変更できるものである。
不図示ではあるが、セルフロック機構のアンロック時に、該操作軸Ａ５４の一端部５５を引張ると、該操作軸Ａ５４の他端部５６の斜めの係止板誘導壁Ａと該係止板４０の操作軸用突起４２とが摺動して該係止板４０が該ラッチ１９から離脱する方向に移動し、引張っていた該操作軸Ａ５４の一端部５５を離すと、該操作軸Ａ５４の他端部５６の斜めの係止板誘導壁Ａと該係止板４０の操作軸用突起４２とが摺動して該係止板４０が該ラッチ１９を係止する方向に移動する。
不図示ではあるが、本発明の他実施例の操作軸Ａ５４の一端部５５の引張部材係合孔ＡＡには、従来技術の右開きの洗濯槽扉の洗濯機９６（部分図ではあるが図１１参照。）の上部に配設される扉開ボタン９７の一端部に取付けられた係合スプリング９８（第２付勢手段）の他端部が係合されて使用される。また、操作軸Ｂ５７の一端部５８の引張部材係合孔ＢＢに係合スプリング９８（第２付勢手段）の他端部を係合することにより、扉開ボタン９７を洗濯機９６の下部に配設することも可能である。
【００３２】
また、操作軸Ｂ５７の一端部５８には引張部材係合孔ＢＢを設け、該操作軸Ｂ５７の他端部５９には該係止板４０が該ラッチ受６１から離脱する方向に移動するように斜めに設けられた係止板誘導壁Ｂを設けた。該箱体本体６０には該操作軸Ｂ５７の一端部５８である引張部材係合孔ＢＢが該箱体本体６０の右側面壁に設けられた軸受６７から突出するように取付けられる。
操作軸Ｂ５７の他端部５９の係止板誘導壁Ｂの斜めの角度については、係止板４０の往復動の移動量（約５ｍｍ程度）にあわせて、該操作軸Ｂ５７の移動量を約６ｍｍ程度とするために、本発明の他実施例においては約４５度に設計したが、この角度を任意に変更することにより、該操作軸Ｂ５７の移動量を変更できるものである。
不図示ではあるが、セルフロック機構のアンロック時に、該操作軸Ｂ５７の一端部５８を引張ると、該操作軸Ｂ５７の他端部５８の斜めの係止板誘導壁Ｂと該係止板４０の操作軸用突起４２とが摺動して該係止板４０が該ラッチ１９から離脱する方向に移動し、引張っていた該操作軸Ｂ５７の一端部５８を離すと、該操作軸Ｂ５７の他端部５９の斜めの係止板誘導壁Ｂと該係止板４０の操作軸用突起４２とが摺動して該係止板４０が該ラッチ１９を係止する方向に移動する。
不図示ではあるが、本発明の他実施例の操作軸Ｂ５７の一端部５８の引張部材係合孔ＢＢには、従来技術の左開きの洗濯槽扉の洗濯機９１（部分図ではあるが図１１参照。）の上部に配設される扉開ボタン９２の一端部に取付けられた係合スプリング９３（第２付勢手段）の他端部が係合されて使用される。また、操作軸Ａ５４の一端部５５の引張部材係合孔ＡＡに係合スプリング９３（第２付勢手段）の他端部を係合することにより、扉開ボタン９２を洗濯機９１の下部に配設することも可能である。
【００３３】
このように、該操作軸Ａ５４の一端部５５又は該操作軸Ｂ５７の一端部５８の何れかを引張っても、該ラッチ１９のロック（係止）及びアンロック（係止解除）が可能なので、従来技術の左開きの洗濯槽扉の洗濯機９１（部分図）にも、右開きの洗濯槽扉の洗濯機９７（部分図）にも対応することができるものである。
【００３４】
以上、本発明の好適な実施の形態について種々の組合せ等を述べてきたが、本発明は上述する実施の形態に限定されるものでなく、発明の精神を逸脱しない範囲で多くの組合せ、改変等を施し得るのはもちろんである。
【００３５】
例えば、図１２（ｃ）に示すように、実施例１の一体形成した本発明の一実施例の操作軸５０を、Ｖ字形の係止板誘導壁を有する操作軸Ｃ４７（例えば、ＰＯＭ樹脂）とＶ字形の係止板誘導壁を有する操作軸Ｄ４８（例えば、ＰＯＭ樹脂）の二分割としても良い。
同様に、実施例２の二分割形成した本発明の他実施例の操作軸Ａ５４の他端部５６の斜めに設けられた係止板誘導壁Ａを、略Ｖ字形の係止板誘導壁Ａに変更したり、また操作軸Ｂ５７の他端部５９の斜めに設けられた係止板誘導壁Ｂを、略Ｖ字形の係止板誘導壁Ｂに変更したりしても良い。
【産業上の利用可能性】
【００３６】
衣類を洗う洗濯機のみならず、芋類など穀物類や野菜類等を洗う食品洗い機、食器等を洗う食器洗い乾燥機等にも適用できる。
【図面の簡単な説明】
【００３７】
【図１】本発明の一実施例の洗濯機用洗濯槽扉係止装置の上部正面の外観斜視図である。
【図２】図１の外観斜視図を左側面から見た時のＡ−Ａ断面図である。
【図３】ソレノイドアクチュエータの構成を示した外観斜視図である。
【図４】可動操作板の外観図である。
【図５】リンクの上部正面の外観斜視図である。
【図６】本発明の一実施例の操作軸と係止板の外観図である。
【図７】図１の外観斜視図を左側面から見た時のＢ−Ｂ断面図である。
【図８】箱体蓋体を外した状態の本発明の一実施例の洗濯機用洗濯槽扉係止装置の正面図である。
【図９】箱体本体の外観図である。
【図１０】箱体蓋体を外した状態の本発明の一実施例の洗濯機用洗濯槽扉係止装置の９０度反転正面図である。
【図１１】洗濯機に本発明の一実施例の洗濯機用洗濯槽扉係止装置を配設した配置例の図である。
【図１２】本発明の他実施例の操作軸の外観図である。
【符号の説明】
【００３８】
１０…ソレノイドアクチュエータ、１１…端子片、１２…ボビン、１３…ソレノイド、１４…ヨーク、１５…固定鉄心、１６…係合孔、１７…可動鉄心、１８…貫通孔、１９…ラッチ、２０…可動操作板、２１…リンク用突起、２２…突起、２３…スプリングＤ一端受け、２４…ハートカム溝、２５…圧縮コイルスプリングＢ、２６…係止ピン、２７…復帰ばね、２８…スプリングＢ一端受け、２９…槓杆ストッパー、３０…リンク、３１…係止爪、３２…リンク用突起誘導溝、３３…圧縮コイルスプリングＤ、３５…吸引確認用転換器、４０…係止板、４１…係止突起、４２…操作軸用突起、４３…凹部、４４…スプリングＡ受け、４５…凹形軸受、４６…圧縮コイルスプリングＡ、４７…操作軸Ｃ、４８…操作軸Ｄ、５０…操作軸、５１…一端部（引張部材係合孔Ａ）、５２…Ｖ字形の係止板誘導壁、５３…他端部（引張部材係合孔Ｂ）、５４…操作軸Ａ、５５…一端部（引張部材係合孔ＡＡ）、５６…他端部（係止板誘導壁Ａ）、５７…操作軸Ｂ、５８…一端部（引張部材係合孔ＢＢ）、５９…他端部（係止板誘導壁Ｂ）、６０…箱体本体（ケース）、６１…ラッチ受（空間）、６２…リンク誘導溝部（空間）、６３…係止板誘導溝部（空間）、６４…スプリングＡ受部、６５…ソレノイドアクチュエータ１０を収納する空間、６６…軸受、６７…軸受、６８…可動操作板２０を収納する空間、７０…箱体蓋体（ケース蓋）、７１…ラッチ口、７２…吸引確認用転換器３５を収納する空間、７３…押板８１を収納する空間、７４…開閉器８３を収納する空間、７５…スプリングＢ他端受け壁、７６…係止ピン他端部取付孔、７７…復帰ばね取付孔、７８…圧縮コイルスプリングＣと押釦部８０とを収納する空間、７９…復帰バネ８２他端受け壁、８０…押釦部、８１…押板、８２…復帰バネ、８３…開閉器、８６…手動解除槓杆、８７…復帰バネ、８８…手動開閉棒、８９…紐類、９０…本発明の一実施例の洗濯機用洗濯槽扉係止装置、９１…左開きの洗濯槽扉の洗濯機（部分図）、９２…扉開ボタン、９３…係合スプリング、９６…右開きの洗濯槽扉の洗濯機（部分図）、９７…扉開ボタン、９８…係合スプリング、９９…タッピングネジ
【図１】
2008307244.tif 000003
【図２】
2008307244.tif 000004
【図３】
2008307244.tif 000005
【図４】
2008307244.tif 000006
【図５】
2008307244.tif 000007
【図６】
2008307244.tif 000008
【図７】
2008307244.tif 000009
【図８】
2008307244.tif 000010
【図９】
2008307244.tif 000011
【図１０】
2008307244.tif 000012
【図１１】
2008307244.tif 000013
【図１２】
2008307244.tif 000014